(57)【要約】【課題】雨水や強い日差しを確実に遮断でき、かつ床面上を拡散された太陽光により広範囲かつ効率的に自然照明できる庇を提供することを目的とする。【解決手段】庇１は建物の外壁面より床面の上方位置へ庇板が張り出すように設けられるもので、庇板２は明かりとりのために開放された開放部分としての開口部２３を有し、その開口部２３を塞ぐように導光板５が設けられている。導光板５は、上面が平坦面であって太陽光が入射する入射面５１を構成し、下面が互いに平行な突条５３からなる凹凸面であって前記突条５３の長さ方向と直交する方向に太陽光を拡散させて出射する出射面５２を構成している。前記太陽光の拡散方向が庇板２の幅方向に沿うように前記導光板５が庇板の開口部２３の位置に取り付けられている。【選択図】図７
2015143452.tif 000002
【特許請求の範囲】
【請求項１】
建物の外壁面より床面の上方位置へ庇板が張り出すように設けられる庇において、前記庇板は、明かりとりのために開放された開放部分を有し、その開放部分を塞ぐように導光板が設けられており、前記導光板は、上面が平坦面であって太陽光が入射する入射面を構成し、下面が互いに平行な突条からなる凹凸面であって前記突条の長さ方向と直交する方向へ太陽光を拡散させて出射する出射面を構成しており、前記太陽光の拡散方向が庇板の幅方向に沿うように前記導光板が庇板の開放部分の位置に取り付けられて成る庇。
【請求項２】
前記庇板は、単一の庇板より成り、その庇板の板面の中央部に形成された１個の開口部により前記の開放部分が構成されている請求項１に記載された庇。
【請求項３】
前記庇板は、単一の庇板より成り、その庇板の板面に庇板の幅方向に沿って形成された複数個の開口部により前記の開放部分が構成されている請求項１に記載された庇。
【請求項４】
前記庇板は、幅方向に連ねられた複数個の庇板より成り、いずれかの庇板の板面に形成された少なくとも１個の開口部により前記の開放部分が構成されている請求項１に記載された庇。
【請求項５】
前記開口部は、幅方向に対して出幅方向に長い長方矩形状に形成されている請求項２〜４のいずれかに記載された庇。
【請求項６】
前記庇板は、幅方向に連ねられた複数個の庇板より成り、いずれかの隣り合う庇板間に介在させた隙間により前記の開放部分が構成されている請求項１に記載された庇。
【請求項７】
前記開放部分の位置に取り付けられた導光板と庇板との間は、導光板と庇板との対向する側縁部にそれぞれ装着された側縁枠を一体連結することにより連結されている請求項６に記載された庇。
【請求項８】
前記庇板は、合成樹脂製の芯材の表裏両面にアルミニウムの薄板材が積層されたものである請求項１〜７のいずれかに記載された庇。
【発明の詳細な説明】
【技術分野】
【０００１】
この発明は、建物の外壁面より床面の上方位置へ庇板が前方へ張り出すように設けられる庇に関するもので、この発明は特に、庇板に明かりとりが設けられた庇に関する。
【背景技術】
【０００２】
一般に庇は、建物の出入り口、窓、渡り廊下など、種々の場所に設けられる。例えば、建物の玄関口では、建物の外壁面より床面の上方位置へ庇板が前方へ張り出すように設置されている。庇は、強い日差し（直射光）や雨水を防ぐためのもので、庇の出幅（庇板の前後方向の長さ）が大きければ、日差しや雨水の遮断効果が高められるが、庇の下方の領域は暗くなる。庇の出幅が小さければ、庇の下方の領域はそれほど暗くならないが、日差しや雨水の遮断効果は不十分となり、庇本来の役割を十分に果たし得ない。特に、建物が密集している地域では、庇の出幅が大きいと、庇の下方の床面が著しく暗くなるため、庇板の下面に照明器具を組み込むことも行われている。しかし、その種の庇はコスト高となり、維持費が嵩むという問題がある。そのような問題に鑑み、先般、太陽光を照明に有効利用するために、庇板に明かりとりのための開口部を設けたものが提案された（特許文献１の図５参照）。
【先行技術文献】
【特許文献】
【０００３】
【特許文献１】特開２０００―１４５０７８号公報
【発明の概要】
【発明が解決しようとする課題】
【０００４】
特許文献１に記載のものは、太陽光を利用して自然照明を行うので、照明器具を必要とせず、経済性に優れているが、開口部の面積が狭いと、照明領域がスポット状となって床面上を広範囲に照明できず、また、開口部から雨水が浸入して滴下する。床面上を広範囲に照明するために、開口部の面積を大きくすると、開口部からの雨水の浸入が激しくなり、また、開口部より差し込む日差しの量も顕著となるため、庇本来の機能が損なわれる、という問題がある。
【０００５】
この発明は、上記した問題に着目してなされたもので、庇板に設けた開放部分を塞ぐように一定方向への光の拡散作用のある導光板を設けることにより、雨水や強い日差しを確実に遮断でき、かつ床面上を拡散された太陽光により広範囲に自然照明できる庇を提供することを目的とする。
【課題を解決するための手段】
【０００６】
この発明による庇は、建物の外壁面より床面の上方位置へ庇板が張り出すように設けられるもので、前記庇板は、明かりとりのために開放された開放部分を有し、その開放部分を塞ぐように導光板が設けられている。前記導光板は、上面が平坦面であって太陽光が入射する入射面を構成し、下面が互いに平行な突条からなる凹凸面であって前記突条の長さ方向と直交する方向へ太陽光を拡散させて出射する出射面を構成している。前記太陽光の拡散方向が庇板の幅方向に沿うように前記導光板が庇板の開放部分の位置に取り付けられている。
【０００７】
上記した構成の庇によれば、導光板の上面の入射面より入射した太陽光は導光板を透過し、出射面より建物の外壁面に沿う方向に拡散して出射されるので、例えば、建物の玄関口などの出入り口の上方に庇が設置されている場合、出入り口の床面上には幅方向へ帯状に延びる広い照明領域が形成される。また、風雨に晒される導光板の上面は平坦面であるので、導庇板の上面に塵芥が堆積しにくく、たとえ堆積しても、清掃がきわめて容易である。
【０００８】
この発明の好ましい実施態様においては、前記庇板は、単一の庇板より成るもので、その庇板の板面の中央部に形成された１個の開口部により前記の開放部分が構成されており、また、他の好ましい実施態様においては、庇板の板面に庇板の幅方向に沿って形成された複数個の開口部により前記の開放部分が構成されている。
前者の実施態様では、１個の開口部の位置に取り付けられた導光板により床面上に帯状の照明領域が形成される。後者の実施態様では、複数個の開口部の位置に取り付けられた導光板により床面上に複数個の帯状の照明領域が連なるように形成される。
【０００９】
この発明の他の実施態様においては、前記庇板は、幅方向に連ねられた複数個の庇板より成るもので、いずれかの庇板の板面に形成された少なくとも１個の開口部により前記の開放部分が構成されている。
この実施態様によると、庇板の開口部の位置に取り付けられた導光板により床面上に帯状の照明領域が形成される。
【００１０】
上記した各実施態様において、前記開口部は例えば正方矩形状など、種々に形状に形成し得るが、照明領域を庇板の出幅方向へ広げるために、幅方向に対して出幅方向に長い長方矩形状に形成するのもよい。
【００１１】
上記した各実施態様の開放部分は、庇板の板面に形成された開口部により構成されているが、例えば、複数個の庇板を幅方向に連ねて形成された庇板の場合、いずれかの隣り合う庇板間に介在させた隙間により前記の開放部分を構成するようにしてもよい。
この実施態様によると、開放部分は庇板の出幅にわたるので、照明領域が出幅方向に広がり、庇板の下方の全体が広範囲にわたって照らされる。
【００１２】
上記の実施態様において、庇板と導光板との間は種々の方法で連結することが可能であるが、好ましい実施態様では、前記開放部分の位置に取り付けられた導光板と庇板との間は、導光板と庇板との対向する側縁部にそれぞれ装着された側縁枠を一体連結することにより連結されている。
【００１３】
この発明の好ましい実施態様においては、庇板の軽量化をはかるために、前記庇板として、合成樹脂製の芯材の表裏両面にアルミニウムの薄板材が積層されたものを用いるが、この発明はこれに限らず、例えば、アルミニウムの押出成形により形成された複数の板材を幅方向に連ねて構成される庇板など、種々の庇板に実施することが可能である。
【発明の効果】
【００１４】
この発明によると、導光板によって雨水や強い日差しを確実に遮断できるうえに、床面上を拡散された太陽光により広範囲に自然照明することができる。また、風雨に晒される導光板の上面は平坦面であるので、導光板の上面に塵芥が堆積しにくく、たとえ堆積しても、清掃がきわめて容易である。
【図面の簡単な説明】
【００１５】
【図１】この発明の一実施例である庇の設置例を示す側面である。
【図２】図１の庇の設置例を示す正面図である。
【図３】図１の庇の設置例における床面上の照明領域を示す平面図である。
【図４】図３に示された照明領域における明るさの分布を示す説明図である。
【図５】この発明の一実施例である庇の外観を示す斜視図である。
【図６】図５の実施例の平面図である。
【図７】図６のＡ−Ａ線に沿う断面図である。
【図８】導光板を拡大して示す中間部が省略された断面図である。
【図９】図６のＢ−Ｂ線に沿う断面図である。
【図１０】導光板の他の実施例を拡大して示す中間部が省略された断面図である。
【図１１】この発明の他の実施例を示す平面図である。
【図１２】この発明のさらに他の実施例を示す平面図である。
【図１３】図１２のＣ−Ｃ線に沿う断面図である。
【図１４】この発明のさらに他の実施例を示す平面図である。
【図１５】この発明のさらに他の実施例を示す斜視図である。
【図１６】図５のＤ−Ｄ線に沿う断面図である。
【図１７】図１１および図１５の実施例における床面上の照明領域を示す平面図である。
【図１８】この発明のさらに他の実施例を示す平面図である。
【図１９】図１８のＥ−Ｅ線に沿う断面図である。
【図２０】図１８の実施例における導光板の保持枠材の他の実施例を示す断面図である。
【図２１】図１８のＦ−Ｆ線に沿う断面図である。
【図２２】図１８の実施例における連結枠の他の実施例を示す断面図である。
【発明を実施するための形態】
【００１６】
図１および図２は、この発明の一実施例である庇１の設置例を示している。図中、１０はマンションなどの建物の外壁面、１１は各戸の出入口に設けられた扉、１２は通路を構成する床面、１３は通路に沿う手摺であり、庇１は、建物の外壁面１０より扉１１の前の床面１２の上方位置に庇板２が張り出すように設けられている。
【００１７】
この発明に係る庇板２は、明かりとりのために開放された開放部分を有し、その開放部分を塞ぐように導光板５が設けられるもので、導光板５の上面は太陽光ｓ１が入射する入射面５１、下面は導光板５を透過した太陽光ｓ２を拡散して出射する出射面５２を構成している。床面１２上には、図３に示すように、庇板２の幅方向（図中、ｘで示す方向。）へ帯状に延びる照明領域Ａが形成される。この照明領域Ａは導光板５を透過し拡散された太陽光ｓ２が照射される領域であり、周辺の庇の影となっている領域より明るい。
【００１８】
図４は、正方形状の導光板５による照明領域Ａを拡大して示す。同図中、Ｄは導光板５の一辺の長さ、Ｌは建物の外壁面１０に沿う照明領域Ａの長さである。照明領域Ａの長さＬは、太陽光ｓ１が庇板２の幅方向ｘへ拡散されることで、導光板５の一辺の長さＤより数倍以上となっている。なお、照明領域Ａの明るさは全体にわたって一様であることが望ましいが、床面１２が照らされて多少とも明るくなっていれば、必ずしも一様である必要はなく、斑状であってもよい。また、図示例のように、両端部Ａ１，Ａ２が明るく、中央部Ａ３は両端部Ａ１，Ａ２に比べてやや暗くなるような明るさ分布であってもよい。
【００１９】
図５および図６は、この発明の一実施例である庇１の外観を示している。この実施例の庇１は、庇板２が建物の外壁面１０から張り出すように設けられるもので、建物の外壁面１０に固着された保持枠材３により前記庇板２の基端部が全幅にわたって保持されている。保持枠材３上にはカバー７が被せられ、両端には端板１５，１５がネジ止めされている。なお、出幅（前方への張出し量）の大きな庇や幅の大きな庇については、必要に応じて、庇板２の少なくとも１箇所をアームにより水平ないしは水平に近い状態で支持することも可能である。
【００２０】
庇板２には、図９に示すように、合成樹脂製の芯材２０の表裏両面にアルミニウムの薄板材２１が積層された積層複合材が用いられている。庇板２の先端縁および両側縁には水切り用の枠材２６が複数個のビス２７によって装着されている。この枠材２６はアルミニウムの押出成形により形成されている。なお、庇板２として、上記の積層複合材に代えて、単層の合成樹脂板を用いることもできる。
【００２１】
庇板２の板面の中央部には、図７に示すように、上下に貫通する正方形状の開口部２３が形成されている。この開口部２３は明かりとりのために開放された開放部分を構成しており、この開口部２３の開口縁に装着された囲い枠５５内に前記の導光板５がはめ込まれている。囲い枠５５は、開口縁の各辺に上方から装着される上枠縁５６と、開口縁の各辺に下方から装着される下枠縁５７とから成り、上枠縁５６と下枠縁５７との間は接着剤により一体接合されている。この実施例の導光板５は正方矩形状であるが、これに限らず、後述する実施例のように長方矩形状であってもよく、その他、円形、楕円形などであってもよい。
【００２２】
前記導光板５は、透明の合成樹脂板により形成されており、上面の入射面５１は平坦面に、下面の出射面５２は凹凸面に、それぞれ形成されている。前記凹凸面は、互いに平行な複数の突条５３により構成されており、入射面５１より入射しかつ導光板５を透過した太陽光は突条５３の長さ方向と直交する方向へ拡散されて出射面５２より出射される。
【００２３】
この実施例の各突条５３は、図８に示すように、突条５３の長さ方向に対して直交する方向の断面形状が、頂角が鈍角をなす二等辺三角形に形成されているが、図１０に示すように、半球状ないしは凸曲面状のものであってもよく、さらには、突条５３の長さ方向と直交する方向へ太陽光を拡散させることができれば、図示例の形状以外のものであってもよい。
【００２４】
上記した構成の導光板５は、前記太陽光の拡散方向が庇板２の幅方向に沿うように前記庇板２の開口部２３の位置に取り付けられる。なお、この実施例では、導光板５は庇板２の開口部２３の位置に固定的に取り付けられているが、清掃や破損による交換のために着脱可能な構成とすることもできる。
【００２５】
前記保持枠材３は、庇板２の幅とほぼ一致する長さを有し、アルミニウムの押出加工により形成されており、図９に示すように、建物の外壁面１０に背面を当接させてボルト１８により固定される背板部３０と、背板部３０の前面の下端部に保持溝３３を挟んで上下に対向して設けられる一対の保持板部３１，３２とを一体に備えている。背板部３０には、各ボルト１８を通すためのボルト通し孔３６が所定の間隔で開設されている。
【００２６】
保持板部３１，３２間の保持溝３３は、前面が全長にわたり開放されており、庇板２の基端部の厚さｔにほぼ一致する溝幅ｄに形成されている。上側の保持板部３１の前端縁は上方へ曲げられ、保持溝３３の開口部分がわずかに広げられている。庇板２の基端部は保持溝３３へ前方より嵌挿されており、基端面２２は保持溝３３の終端である背板部３０の表面に達している。なお、庇板２の基端部の厚さｔはわずかな誤差を有するが、その厚さｔが溝幅ｄより多少大きくても、保持溝３３へ庇板２の基端部を圧入することで保持板部３１，３２がわずかに撓むので、庇板２の基端部を保持溝３３内に嵌挿するのに支障をきたさない。
【００２７】
上側の保持板部３１と庇板２の基端部の上面との間、および下側の保持板部３２と庇板２の基端部の下面との間に接着剤を介在させ、これにより庇板２と各保持板部３１，３２とを接合している。下側の保持板部３２の上面には、接着剤が溜まる一定幅の凹溝３７が２か所、形成されている。上側の保持板部３１の前端縁の押し広げられた開口部分にはコーキング材３８が充填されている。
【００２８】
保持枠材３の背板部３０には、保持溝３３に対応する部分に、背板部３０を貫通するビス通し孔３４が背板部３０の幅方向へ所定の間隔毎に開設されている。各ビス通し孔３４には、ネジ軸部９１の径がビス通し孔３４の内径より小さく頭部９２の径がビス通し孔３４の内径より大きい木ビスなどのビス９がそれぞれ挿通される。
背板部３０の背面の各ビス通し孔３４の位置には、ビス９の頭部９２が嵌って支持される凹溝３５が背板部３０の全長にわたって一連に形成されている。この凹溝３５は、ビス９の頭部９２が背板部３０の背面より突出しない溝深さ、すなわち、ビス９の頭部９２の厚さより大きな溝深さに形成されている。
【００２９】
庇板２の基端部は保持板部３１，３２間の保持溝３３中に基端面２２が背板部３０の前面に達する位置まで嵌挿される。庇板２の基端面２２には背板部３０の背面側よりビス通し孔３４へ挿入された抜止めのためのビス９のネジ軸部９１がねじ込まれている。ビス９のネジ軸部９１は庇板２の基端面２２より合成樹脂製の芯材２０を穿孔しつつ進入するが、削り取られた合成樹脂材料が周辺へ押し退けられる結果、そのねじ込まれた部分では庇板２の芯材２０が厚さ方向へ膨出し、その膨出に応じて芯材２０を挟むアルミニウムの薄板材２１が変形する。この変形によって庇板２の基端部は保持溝３３に緊密に嵌合する。また、前記膨出部分はビス９と上下の保持板部３１，３２との間で圧縮変形を受けるもので、これによりビス９のネジ軸部９１が庇板２の基端部にしっかり噛み込む。
【００３０】
保持枠材３の背板部３０の上端と上側の保持板部３１の前端には、カバー７の内側に形成された係合突部７１ａ，７１ｂと係合する係合部３９ａ，３９ｂが形成されている。カバー７は保持枠材３と同じ長さを有し、カバー７の前端縁は下側の保持板部３２の前端部上まで達し、上側の保持板部３１の前端面を覆っている。
【００３１】
上記の実施例では、単一の庇板２に対してその板面の中央部に１個の開口部２３により構成される開放部分を設け、その開口部２３を塞ぐように導光板５を取り付けたものであるが、図１１に示す実施例のように、単一の庇板２に対してその板面の中央部とその両側の対称位置とにそれぞれ開口部２３を設け、各開口部２３を塞ぐようにそれぞれ導光板５を取り付けるようにしてもよい。なお、導光板５を取り付けるための開口部２３は、庇板２の幅に応じて２個、或いは４個以上形成してもよい。
【００３２】
図１２および図１３は、この発明の他の実施例である庇１を示している。図示例の庇１は、庇板２の板面の中央部に明かりとりのための開放部分が、上下に貫通する開口部２３によって形成されている。この開口部２３は、照明領域を庇板の出幅方向へ広げるために、幅方向に対して出幅方向に長い長方矩形状に形成されている。この開口部２３の開口縁には囲い枠５５が装着され、囲い枠５５の上面に導光板５が接着剤により取付け固定されている。
【００３３】
この実施例の庇１は、庇板２の出幅が大きく設定されたものであり、庇の耐荷重性を高めるために、庇板２の左右対称位置がアーム１０１，１０１によって支持されている。各アーム１０１は、長さ調節が可能な金属製パイプより成るアーム本体１０２の両端にネジ軸を介して取付金具８，８０がそれぞれ取り付けられている。各ネジ軸は一端部に取付金具８，８０が取り付けられ、他端部はアーム本体１０２の両端に装着されたナット部材（図示せず）にねじ込まれている。下端部側の取付金具８は庇板２の上面にネジ止めされ、上端部側の取付金具８０は建物の外壁面１０にアンカーボルトにより固定されている。
【００３４】
上記アーム１０１の各ネジ軸はネジの方向が逆方向であり、アーム本体１０２を一方向へ回転させたとき、各ネジ軸がアーム本体１０２の両端より突き出てアーム１０１の長さが長くなり、また、アーム本体１０２を反対方向へ回転させたとき、ネジ軸がアーム本体１０２の内部へ入り込んでアーム１０１長さが短くなる。
【００３５】
図１４は、出幅の大きな庇１であり、庇の耐荷重性を高めるために、庇板２の左右対称位置をアーム１０１，１０１で支持するとともに、庇板２の板面の中央部に明かりとりのための開放部分を、上下に貫通する２個の開口部２３，２３によって形成し、各開口部２３に導光板５を取り付けている。各開口部２３および各導光板５は同形状をなす正方矩形状ないしは長方矩形状に形成されており、この実施例では、出幅方向に沿って整列配置されているが、これに限らず、異なる大きさや形状に形成したり、左右にずらせたりするなど、適宜設計変更が可能である。
【００３６】
図１５は、この発明のさらに他の実施例を示している。この実施例の庇１は、幅方向に連ねられた複数個の庇板２のそれぞれに対して、あるいは選択された庇板２に対して、１個または２個以上の開口部２３による開放部分を形成し、各開口部２３を塞ぐようにそれぞれ導光板５を取り付けている。なお、図中、３は各庇板２の基端部を一連に保持する保持枠材、６は隣り合う庇板２，２の側端縁間を連結する連結枠、１０１は連結枠１００を上方より支持するアームである。
【００３７】
前記の各連結枠６は、図１６に示すように、隣り合う庇板２，２の間に介装されており、各庇板２の対向する側縁部２５，２５間を連結する。各庇板２の対向する側縁部２５にはそれぞれ対をなす側枠材６０Ｌ，６０Ｒが装着されるとともに、各側枠材６０Ｌ，６０Ｒは横並びの状態で樋部材１００および取付金具８により一体保持されている。
各連結枠６を構成する各側枠材６０Ｌ，６０Ｒは、アルミニウムの押出加工により形成されたもので、図１５に示すように、基端が保持枠材３の前端縁の位置に位置し、先端は庇板２の前端縁の手前位置に達している。各側枠材６０Ｌ，６０Ｒは、一方の側枠材が他方の側枠材に対して対称をなす形状のものであり、同じものを前後反転して用いている。
【００３８】
各側枠材６０Ｌ，６０Ｒは、内側面に庇板２の側縁部２５が挿入される挿入溝６１、外側面の上下位置に突出部６２，６３を備えている。対をなす側枠材６０Ｌ，６０Ｒの上側の突出部６２，６２同士および下側の突出部６３，６３同士はそれぞれ衝き合わされ、その衝き合わせ状態で各側枠材６０Ｌ，６０Ｒが一体保持されている。
【００３９】
前記挿入溝６１は、上下の支持板部６４，６５間に形成されており、この挿入溝６１に庇板２の側縁部２５が側縁端面２５ａが溝底面６１ａに当接する位置まで嵌挿されている。この挿入溝６１は全長にわたって開放されており、溝幅は庇板２の側縁部２５の厚さとほぼ一致させている。上側の支持板部６４と庇板２の側縁部２５の上面との間、および下側の支持板部６５と庇板２の側縁部２５の下面との間にそれぞれ接着剤を介在させることにより庇板２と各支持板部６４，６５とを接合している。上側の支持板部６４の下面および下側の支持板部６５の上面には、それぞれ接着剤が溜まる一定幅の凹溝６４ａ，６５ａが形成されている。
【００４０】
前記溝底面６１ａには一定間隔毎にネジ通し孔６１ｂが貫通して開設されている。庇板２の側縁端面２５ａには溝底面６１ａの背後よりネジ通し孔６１ｂへ貫挿させたネジ６６がねじ込まれている。ネジ６６には、ネジ軸部６６ｂの径がネジ通し孔６１ｂの内径より小さく、頭部６６ａの径がネジ通し孔６１ｂの内径より大きな木ビスが用いてある。対をなす側枠材６０Ｌ，６０Ｒの一方に形成される各ネジ通し孔６１ｂと他方に形成される各ネジ通し孔６１ｂとは、それぞれの位置が重ならないように穿設位置を前後にずらせてあり、これにより、溝底面６１ａの背後の隙間部Ｓ２において、一方の側枠材６０Ｌの側縁端面２５ａにねじ込まれた各ネジ６６の頭部６６ａと他方の側枠材６０Ｒの側縁端面２５ａにねじ込まれた各ネジ６６の頭部６６ａとが互いに干渉しないようになっている。
【００４１】
このネジ６６はそのネジ軸部６６ｂが庇板２の側縁端面２５ａより合成樹脂製の芯材２０を穿孔しつつ進入するとき、削り取られた合成樹脂材料が周辺へ押し退けられる結果、そのねじ込まれた部分では庇板２の芯材２０が厚さ方向へ膨出し、この膨出に応じて芯材２０を挟むアルミニウムの薄板材２１が変形し、この変形によって庇板２の側縁部２５が挿入溝６１に緊密に嵌合するものである。
【００４２】
上側の支持板部６４の上面には、位置決め部材９０を前後方向へ摺動自由に保持する摺動溝６７が全長にわたって形成されている。この位置決め部材９０は、アーム１０１の下端部を連結する前後方向の位置を調整するためのものである。摺動溝６７は、支持板部６４と上板部６８との間に形成されており、上板部６８の幅中央部には溝開口６８ａが全長にわたって形成されている。
【００４３】
位置決め部材９０は、摺動溝６７の溝幅とほぼ同一幅を有する金属製の板状体である。位置決め部材９０の板面上の前後位置にはネジ軸９０ａがそれぞれ上向きに突設されている。各ネジ軸９０ａは溝開口６８ａより上板部６８の上方へ突出する。各ネジ軸９０ａにはアーム１０１の下端に取り付けられた取付金具８の基板部８１が接続される。
【００４４】
アーム１０１の取付金具８は、対をなす側枠材６０Ｌ，６０Ｒを横並びの状態で一体化する金具を兼ねており、側枠材６０Ｌ，６０Ｒに跨ることが可能な長さの基板部８１を含み、その基板部８１の左右対称位置の前後位置に貫通孔８２がそれぞれ形成されている。各貫通孔８２には、それぞれネジ軸９０ａが通され、その先端にナット９０ｂを装着して締め付けることにより、連結枠６に対してアーム１０１の下端部が連結され、かつ対をなす側枠材６０Ｌ，６０Ｒが一体保持される。
【００４５】
対をなす各側枠材６０Ｌ，６０Ｒの外側面の上下位置には、前記上板部６８および下側の支持板部６５をそれぞれ外側へ延出もしくは突出させた突出部６２，６３が形成されている。上側の突出部６２は、先端部分が折り返され、この折返し端部６２ａ内に樋部材１００の板厚に相当する溝幅の係合溝６２ｂが形成されている。下側の突出部６３は先細の形状のものであり、その突端と上側の突出部６２の突端とは位置が揃っている。
【００４６】
対をなす側枠材６０Ｌ，６０Ｒの上側の突出部６２，６２同士および下側の突出部６３，６３同士はそれぞれ同じ高さに揃えられて衝き合わされている。その衝き合わされた上側の突出部６２，６２と衝き合わされた下側の突出部６３，６３とで挟まれる前後に延びる空間部Ｓ１内には樋部材１００が挿入配備されている。樋部材１００は前後の各端面が開放され、上面の開口部は上側の突出部６２，６２の衝き合わせ部分の真下に位置している。
【００４７】
前記空間部Ｓ１は、樋部材１００を嵌合状態で収容することが可能な形状および大きさのものであり、両側方へ張り出すような形状をしている。その空間部Ｓ１の下方には前後方向に延びる一定幅の隙間部Ｓ２が形成されている。隙間部Ｓ２は空間部Ｓ１と連通しており、この隙間部Ｓ２に前記ネジ６６の頭部６６ａが互いに干渉することなく位置している。
【００４８】
前記樋部材１００は、側枠材６０Ｌ，６０Ｒと同じ長さに形成されており、内方を向く開口縁部の先端縁が対をなす各側枠材６０Ｌ，６０Ｒの上側の突出部６２に形成された折返し端部６２ａの係合溝６２ｂに入り込むことで開口縁部と折返し端部６２ａとが咬み合っている。樋部材１００の底部は隙間部Ｓ２の上方を跨るようにして各側枠材６０Ｌ，６０Ｒの外面の肩部６９上に支持されている。
【００４９】
前記アーム１０１は、前記した図１２の実施例のものと同様、長さ調節が可能な金属製パイプより成るアーム本体１０２の両端にネジ軸を介して取付金具８，８０がそれぞれ取り付けられている。各ネジ軸は一端部に取付金具８，８０を構成する連結板８３が取り付けられ、他端部はアーム本体１０２の両端に装着されたナット部材（図示せず）にねじ込まれている。
【００５０】
アーム１０１の下端部側の取付金具８は、前記基板部８１上に前記連結板８３を両側より挟むように一対の取付板８５，８５が一体形成されるとともに、枢軸８４上に前記連結板８３と取付板８５，８５とを回動自由に支持することにより連結板８３に対して取付板８５を屈曲可能としたものである。
【００５１】
アーム１０１の上端部側の取付金具８０も、詳細は図示していないが、下端部側の取付金具８と同様の構成のものであるが、基板部８８に形成した２個の貫通孔にアンカーボルトをそれぞれ通して基板部８８を建物の外壁面１０に固定する。
【００５２】
図１７は、図１１および図１５の実施例により床面１２上に形成される照明領域Ａを示している。この照明領域Ａは各導光板５により形成された複数個の帯状の照明領域が連なったもので、全体として一連の長い帯状となっている。
【００５３】
図１８は、この発明のさらに他の実施例である庇１を示している。この実施例の庇１は、複数個の庇板２を幅方向に連ねて形成されるとともに、幅中央部の２枚の庇板２，２間に一定幅の隙間２８により構成される開放部分を設け、その隙間２８を塞ぐようにして導光板５を取り付けたものである。
なお、図中、４は導光板５の基端部を保持する保持枠材、４０Ｌは導光板５と左隣の庇板２とを連結する連結枠、４０Ｒは導光板５と右隣の庇板２とを連結する連結枠、６は隣り合う庇板２，２間を連結するための連結枠、１０１は連結枠６，４０Ｌ，４０Ｒを上方より支持するアームである。
【００５４】
前記保持枠材４は、図１９に示すように、構成の一部を除き、庇板２の基端部を一連に保持する保持枠材３と同様の構成のものであり、ここでは、保持枠材３と同一もしくは類似の構成については同一の符号を付することで説明を省略する。
【００５５】
この保持枠材４は、導光板５の幅とほぼ一致する長さを有し、アルミニウムの押出加工により形成されており、背板部３０と上下に対向する一対の保持板部３１，３２とを一体に備えている。保持板部３１，３２間の保持溝３３は導光板５の基端部の厚さにほぼ一致する溝幅に形成されている。導光板５の基端部は保持溝３３へ前方より嵌挿され、基端面は保持溝３３の終端である背板部３０の表面に達している。
【００５６】
上側の保持板部３１と導光板５の基端部の上面との間、および下側の保持板部３２と導光板５の基端部の下面との間に接着剤を介在させ、これにより導光板５と各保持板部３１，３２とを接合している。下側の保持板部３２の上面には、接着剤が溜まる一定幅の凹溝３７が２か所、形成されている。
【００５７】
なお、保持枠材４として、庇板２の保持枠材３を流用することが可能であり、この場合、図２０に示すように、導光板５の基端部の下面または上面、或いは上下両面に肉厚調整用の板材４１を接着剤により接合する。
【００５８】
図２１は、前記した一方の連結枠４０Ｌの構成を示している。なお、連結枠４０Ｌ，４０Ｒは、一方の連結枠４０Ｌが導光板５と左隣の庇板２とを連結するものであるの対し、他方の連結枠４０Ｒが導光板５と右隣の庇板２とを連結するものであり、両者の構成は基本的な差異はなく、ここでは、連結枠４０Ｒの図示並びに説明を省略する。、
また、連結枠４０Ｌ，４０Ｒは、構成の一部を除き、隣り合う庇板２，２間を連結する連結枠６と同様の構造のものであり、ここでは、連結枠６と同一もしくは類似の構成については同一の符号を付することで説明を省略する。
【００５９】
前記連結枠４０Ｌは、左隣の庇板２と導光板５との間に介装されており、庇板２と導光板５との対向する側縁部２５，５４間を連結する。その対向する側縁部２５，５４にはそれぞれ対をなす側枠材６０Ｌ，６０Ｒが装着されるとともに、各側枠材６０Ｌ，６０Ｒは横並びの状態で樋部材１００および取付金具８により一体保持されている。
連結枠４０Ｌを構成する各側枠材６０Ｌ，６０Ｒは、アルミニウムの押出加工により形成されたもので、先端は庇板２の前端縁の位置まで達している。
【００６０】
一方の側枠材６０Ｌは、内側面に庇板２の側縁部２５が挿入される挿入溝６１を備え、他方の側枠材６０Ｒは、内側面に導光板５の側縁部５４が挿入される挿入溝６１を備えている。各側枠材６０Ｌ，６０Ｒの外側面には互いに衝き合わされる上下の突出部６２，６３を備えている。
【００６１】
一方の側枠材６０Ｌの挿入溝６１には、庇板２の側縁部２５が側縁端面２５ａが溝底面６１ａに当接する位置まで嵌挿されている。この挿入溝６１の溝幅は庇板２の側縁部２５の厚さとほぼ一致させている。挿入溝６１を挟む上側の支持板部６４と庇板２の側縁部２５の上面との間、および下側の支持板部６５と庇板２の側縁部２５の下面との間にそれぞれ接着剤を介在させることにより庇板２と各支持板部６４，６５とを接合している。上側の支持板部６４の下面および下側の支持板部６５の上面には、それぞれ接着剤が溜まる一定幅の凹溝６４ａ，６５ａが形成されている。
なお、庇板２の側縁部２５は、側縁端面２５ａに溝底面６１ａの背後よりねじ込まれたネジ６６によってねじ止めされている。
【００６２】
他方の側枠材６０Ｒの挿入溝６１には、導光板５の側縁部５４の側縁端面５４ａが溝底面６１ａに当接する位置まで嵌挿されている。この挿入溝６１の溝幅は導光板５の側縁部５４の厚さとほぼ一致させている。挿入溝６１を挟む上側の支持板部６４と導光板５の側縁部５４の上面との間、および下側の支持板部６５と導光板５の側縁部５４の下面との間にそれぞれ接着剤を介在させることにより導光板５と各支持板部６４，６５とを接合している。上側の支持板部６４の下面および下側の支持板部６５の上面には、それぞれ接着剤が溜まる一定幅の凹溝６４ａ，６５ａが形成されている。
【００６３】
なお、一方の連結枠４０Ｌの側枠材６０Ｒとして、庇板２，２間を連結するのに用いる連結枠６の側枠材６０Ｒを流用することが可能であり、この場合、図２２に示すように、導光板５の側縁部５４の上面または下面、或いは上下両面に肉厚調整用の板材４２を接着剤により接合する。
【００６４】
上記した構成の庇１によれば、導光板５の上面の入射面５１より太陽光ｓ１が入射し、その太陽光ｓ１は導光板５を透過して、出射面５２より建物の外壁面１０に沿う方向へ拡散して出射される。例えば、建物の玄関口などの出入り口の上方に図５または図１８に示す庇１が設置されている場合、出入り口の床面１２上には１個の導光板５によって幅方向へ帯状に延びる照明領域Ａが形成される。なお、太陽光ｓ１が庇板２の真上のみならず庇板２に対して斜め上方より入射しても同様の帯状の照明領域Ａが形成される。
【００６５】
渡り廊下などの通路の上方に図１１または図１５に示す庇１が設置されている場合、通路の床面１２上には各導光板５によって幅方向へ帯状に延びる照明領域が形成されて一列に連なることにより長い帯状の照明領域Ａが形成される。導光板５は、風雨に晒される上面の入射面５１が平坦面であるので、その入射面５１上に塵芥が堆積しにくく、たとえ堆積しても、清掃がきわめて容易である。
【００６６】
なお、上記の各実施例は、太陽光の拡散方向が庇板２の幅方向に沿うように導光板５を設置しているが、太陽光の拡散方向が庇板の出幅方向に沿うように別の導光板を組み合わせたりすることもでき、種々の設計変更が可能である。
【符号の説明】
【００６７】
１    庇
２    庇板
５    導光板
２３  開口部
２８  隙間
２０  芯材
２１  薄板材
５１  入射面
５２  出射面
５３  突条
【図１】
2015143452.tif 000003
【図２】
2015143452.tif 000004
【図３】
2015143452.tif 000005
【図４】
2015143452.tif 000006
【図５】
2015143452.tif 000007
【図６】
2015143452.tif 000008
【図７】
2015143452.tif 000009
【図８】
2015143452.tif 000010
【図９】
2015143452.tif 000011
【図１０】
2015143452.tif 000012
【図１１】
2015143452.tif 000013
【図１２】
2015143452.tif 000014
【図１３】
2015143452.tif 000015
【図１４】
2015143452.tif 000016
【図１５】
2015143452.tif 000017
【図１６】
2015143452.tif 000018
【図１７】
2015143452.tif 000019
【図１８】
2015143452.tif 000020
【図１９】
2015143452.tif 000021
【図２０】
2015143452.tif 000022
【図２１】
2015143452.tif 000023
【図２２】
2015143452.tif 000024